(57)【要約】【課題】本発明は携帯電話機等の携帯機器、又はＩＣカード等の可搬型記憶媒体を使用した印刷装置、及び印刷システムに関し、特に印刷データの選択や印刷条件が変更可能な印刷システム、及び印刷装置を提供するものである。【解決手段】本発明は携帯機器データリーダ/ライタ２０を介して供給される携帯電話機からの印刷データや制御条件の情報を携帯機器データリーダ/ライタ制御部１６を介してＭＦＰメイン部１０に供給し、ＭＦＰメイン部１０において上記印刷データの印刷処理、又は制御条件に従った印刷処理を行う。また、上記携帯電話機は、例えばＩＣカード等の可搬型記憶媒体を使用５する構成としてもよい。【選択図】  図１
2008181266.tif 000002
【特許請求の範囲】
【請求項１】
複数の印刷データを記憶する記憶手段と、該複数の印刷データの選択処理を行い選択結果を印刷装置に送信する送信手段とを備えた携帯機器と、
該携帯機器と通信を行う通信手段と、該携帯機器から供給される印刷データに基づいて印刷処理を行う印刷処理手段とを備えた印刷装置と、
を有することを特徴とする印刷システム。
【請求項２】
複数の印刷データを記憶する記憶手段と、
該複数の印刷データの選択処理を行うキー選択手段と、
該キー選択手段による印刷データの選択結果を印刷装置に送信する送信手段と、
を有することを特徴とする携帯機器。
【請求項３】
携帯機器から出力され、複数の印刷データの中で選択された印刷データを受信する送信手段と、
前記印刷データの受信を、前記携帯機器に通知する通知手段と、
前記印刷データの印刷処理を行う印刷処理手段と、
を有することを特徴とする印刷装置。
【請求項４】
前記携帯機器は前記印刷データの選択と共に、印刷コマンドの生成を行い、前記印刷装置に送信することを特徴とする請求項１記載の印刷システム。
【請求項５】
前記携帯機器はサーバに接続され、前記記憶手段の記憶容量を越えた印刷データを前記サーバに記憶させ、前記印刷装置によって印刷処理を行う際、前記携帯機器から受信した印刷データと共に前記サーバに記憶させた印刷データを読み出して使用することを特徴とする請求項１記載の印刷システム。
【請求項６】
前記複数の印刷データは、ホスト機器又は改札情報の処理装置から供給され、前記キー選択手段によって選択された前記携帯機器の記憶手段に記憶されていることを特徴とする請求項１記載の印刷システム。
【請求項７】
複数の印刷条件を記憶する記憶手段と、該複数の印刷条件の選択処理を行い選択結果を印刷装置に送信する送信手段とを備えた携帯機器と、
該携帯機器と通信を行う通信手段と、該携帯機器から供給される印刷条件に基づいて印刷処理を行う印刷処理手段とを備えた印刷装置と、
を有することを特徴とする印刷システム。
【請求項８】
複数の印刷データを記憶する記憶手段と、該複数の印刷データの選択処理を行い選択結果を印刷装置に送信する送信手段とを備えた可搬型記録媒体と、
該可搬型記録媒体と通信を行う通信手段と、該可搬型記録媒体から供給される印刷データに基づいて印刷処理を行う印刷処理手段とを備えた印刷装置と、
を有することを特徴とする印刷システム。
【請求項９】
前記印刷装置は、少なくともプリント処理が可能な複合機であることを特徴とする請求項１、４、５、６、７、又は８記載の印刷システム。
【発明の詳細な説明】
【技術分野】
【０００１】
本発明は携帯電話機等の携帯機器、又はＩＣカード等の可搬型記憶媒体を使用した印刷装置、及び印刷システムに関する。
【背景技術】
【０００２】
今日、コンピュータネットワークが広く使用され、例えばＬＡＮ（ローカルエリアネットワーク）等のネットワークにプリンタ装置を接続し、ホスト機器から印刷データを供給して印刷出力を行うシステムが構築されている。
【０００３】
このような印刷システムにおいては、印刷結果の秘匿性を確保するためＩＣカードが使用され、例えばプリンタ装置に近づきＩＣカードを翳すことによって秘匿性を確保した印刷処理を行うことができる。
【０００４】
また、特許文献１は、ＩＣカードの使用時にユーザが予め登録した利用条件と照合を行い、照合結果に基づいてＩＣカードの使用を可能とし、パスワードや指紋入力等の複雑な入力処理を不要としたＩＣカードのユーザ認証方法が開示されている。
【０００５】
また、特許文献２は、携帯電話機を動作させるために該携帯電話機に装着されたタグに対して非接触状態で情報の書き込み、及び読み出しを可能とし、例えば携帯電話機をＩＣカードとして使用できるようにするものである。
【０００６】
【特許文献１】特開２００６−５８９７０号公報
【０００７】
【特許文献２】特開２００２−２４７１５７号公報
【発明の開示】
【発明が解決しようとする課題】
【０００８】
しかしながら、上記従来例の場合、携帯電話機にタグを装着し、又は携帯電話機をＩＣカードとして機能することはできるが、印刷装置の印刷データや制御条件を携帯機器で選択して指示し、印刷処理を行わせることはできない。
【０００９】
そこで、本発明は携帯電話機等の携帯機器、又はＩＣカード等の可搬型記憶媒体を使用し、印刷データの選択や印刷条件が変更可能な印刷システム、及び印刷装置を提供するものである。
【課題を解決するための手段】
【００１０】
上記課題は第１の発明によれば、複数の印刷データを記憶する記憶手段と、該複数の印刷データの選択処理を行い、選択結果を印刷装置に送信する送信手段とを備えた携帯機器と、該携帯機器と通信を行う通信手段と、該携帯機器から供給される印刷データに基づいて印刷処理を行う印刷処理手段とを備えた印刷装置とを有する印刷システムを提供することによって達成できる。
【００１１】
また、上記課題は第２の発明によれば、複数の印刷データを記憶する記憶手段と、該複数の印刷データの選択処理を行うキー選択手段と、該キー選択手段による印刷データの選択結果を印刷装置に送信する送信手段とを有する携帯機器を提供することによって達成できる。
【００１２】
また、上記課題は第３の発明によれば、携帯機器から出力され、複数の印刷データの中で選択された印刷データを受信する送信手段と、前記印刷データの受信を、前記携帯機器に通知する通知手段と、前記印刷データの印刷処理を行う印刷処理手段とを有する印刷装置を提供することによって達成できる。
【００１３】
また、上記課題は第４の発明によれば、前記携帯機器は前記印刷データの選択と共に、印刷コマンドの生成を行い、前記印刷装置に送信することを特徴とする請求項１記載の印刷システムを提供することによって達成できる。
また、上記課題は第５の発明によれば、前記携帯機器はサーバに接続され、前記記憶手段の記憶容量を越えた印刷データを前記サーバに記憶させ、前記印刷装置によって印刷処理を行う際、前記携帯機器から受信した印刷データと共に前記サーバに記憶させた印刷データを読み出して使用することを特徴とする請求項１記載の印刷システムを提供することによって達成できる。
また、上記課題は第６の発明によれば、前記複数の印刷データは、ホスト機器又は改札情報の処理装置から供給され、前記携帯機器の記憶手段に記憶されていることを特徴とする請求項１記載の印刷システムを提供することによって達成できる。
【００１４】
また、上記課題は第７の発明によれば、複数の印刷条件を記憶する記憶手段と、該複数の印刷条件の選択処理を行い、選択結果を印刷装置に送信する送信手段とを備えた携帯機器と、該携帯機器と通信を行う通信手段と、該携帯機器から供給される印刷条件に基づいて印刷処理を行う印刷処理手段とを備えた印刷装置とを有する印刷システムを提供することによって達成できる。
【００１５】
また、上記課題は第８の発明によれば、複数の印刷データを記憶する記憶手段と、該複数の印刷データの選択処理を行い、選択結果を印刷装置に送信する送信手段とを備えた可搬型記録媒体と、該可搬型記録媒体と通信を行う通信手段と、該可搬型記録媒体から供給される印刷データに基づいて印刷処理を行う印刷処理手段とを備えた印刷装置とを有する印刷システムを提供することによって達成できる。
【００１６】
また、上記課題は第９の発明によれば、前記印刷装置は、少なくともプリント処理を行う複合機であることを特徴とする請求項１、４、５、６、７、又は８記載の印刷システムを提供することによって達成できる。
【発明の効果】
【００１７】
本発明によれば、携帯機器又は可搬型記録媒体に記憶した情報に対して、携帯機器又は可搬型記録媒体から印刷情報の指定を行い、印刷装置に送信することによって、選択した印刷情報に基づく印刷処理を行うことができる。
【発明を実施するための最良の形態】
【００１８】
以下、図面を参照しながら本発明の実施の形態について説明する。
（実施形態１）
図２は、本実施形態の印刷装置の構成を説明する図であり、特に本例では印刷装置として、複合機（以下、ＭＦＰ（多機能印刷装置・マルチファンクションプリンタ）１で示す）を使用する。
【００１９】
同図において、ＭＦＰ１の前面上部には表示操作部（オペレーションパネル）２が位置し、印刷枚数の設定や濃度設定、サイズ設定等の各種設定指示を行う。また、ＭＦＰ１の前面下部には複数段の給紙カセット３が設けられ、対応する取手を持って給紙カセット３を手前に引き出すことができる。また、ＭＦＰ１には排紙部４も設けられ、給紙カセット３から給紙され、画像形成が行われた用紙（記録媒体）は排紙部４に出力される。
【００２０】
図１は上記外観構成のＭＦＰ１の内部構成を説明する図である。同図において、ＭＦＰ１はスキャナ部６、ＭＦＰ制御部７、プリント部８で構成されている。スキャナ部６は読取機構部６ａを有し、読取機構部６ａの駆動により原稿台に載置された原稿画像が読み取られ、ＭＦＰ制御部７に原稿データが送信される。
【００２１】
ＭＦＰ制御部７は、ＭＦＰメイン部１０、読取機構制御部１１、表示操作制御部１２、ＦＡＸ通信制御部１３、ＬＡＮ通信制御部１４、インターネット通信制御部１５、携帯機器データリーダ/ライタ制御部１６、記憶装置制御部１７、及び記憶装置部（ＨＤＤ）１８で構成されている。読取機構制御部１１は前述のスキャナ部６に設けられた読取機構部６ａの機構制御を行い、スキャナ部６で読み取られた原稿データはＭＦＰメイン部１０に送られる。
【００２２】
表示操作制御部１２は、前述の表示操作部２に設けられたキー等の操作に基づく操作信号をＭＦＰメイン部１０に出力する。また、ＭＦＰメイン部１０から出力される表示データを表示操作部２に表示する。さらに、記憶装置制御部１７は、記憶装置部（ＨＤＤ）１８へのデータ書き込み、及び記憶装置部（ＨＤＤ）１８に記憶されたデータの読み出し制御を行う。ここで、記憶装置部（ＨＤＤ）１８には、例えば印刷プログラムや、携帯機器データ受信情報が記憶されている。また、後述する印刷制御情報を記憶する。
【００２３】
また、ＬＡＮ通信制御部１４は、本例で使用するＭＦＰ１をＬＡＮに接続する為のインターフェイスであり、ＦＡＸ通信制御部１３は、公衆回線網を使用してファクシミリデータの授受を行う。
【００２４】
また、携帯機器データリーダ/ライタ制御部１６は、携帯機器データリーダ/ライタ２０に接続され、後述する携帯機器に記憶したデータを読み出し、また携帯機器にデータを書き込む制御を行う。
【００２５】
一方、プリンタ部８は印刷機構部２１を有し、印刷データに基づく印刷処理を行う。また、印刷機構部２１は印刷機構制御部２３を介してＭＦＰメイン部１０から供給される制御情報２２に従って機構制御を行う。また、印刷機構部２１は印字ヘッドの他、画像形成部や現像部、転写部等の機構部で構成されている。
【００２６】
尚、ＭＦＰメイン部１０は、システムプログラムによってＭＦＰ制御部７の各部の制御を行い、不図示のＣＰＵとＲＡＭを含む。
【００２７】
図３は前述の携帯機器データリーダ/ライタ２０との通信を行う携帯機器として、例えば携帯電話機の例を説明する図である。携帯電話機２５は各種表示を行う表示部２６ａ、キー操作部２６ｂ、方向キー操作部２６ｃで構成されている。
【００２８】
図４は携帯電話機２５の内部構成を示す図であり、ホスト機器やＭＦＰ１との通信構成の概略を含む図である。携帯電話機２５は制御部３０、無線通信部３１、アプリケーション実行部３２、上記操作表示部２６、リーダ/ライタ制御部（Ｒ/Ｗ制御部）３４、ＩＣタグ３５、送受信部３６、及びメモリ３７で構成されている。制御部３０はメモリ３７に記憶されたプログラムに従って制御を行い、前述の携帯機器データリーダ/ライタ２０等との間でデータの授受を行う。また、操作表示部２６は上記表示部２６ａ、及びキー操作部２６ｂを含む構成である。
【００２９】
また、ＩＣタグ３５はＩＤコード記憶エリアとユーザ利用領域で構成され、ユーザ利用領域にはＪＯＢ１〜ＪＯＢ３の情報が書き込まれる。
以上の構成において、以下に本例の処理動作について説明する。
【００３０】
図５は本システムのＭＦＰ１を使用した印刷処理を説明する模式図である。本例は駅の改札を通過する際に書き込まれる情報に基づいて、携帯電話機２５を介したＭＦＰ１による印刷処理を説明するものである。
【００３１】
先ず、ユーザは駅の改札を通過する際、携帯電話機２５を翳し改札に設けられたリーダ/ライタ装置によって携帯電話機２５内の残金情報を送信する。すなわち、携帯電話機２５のメモリ３７に記憶されている残金情報が読み出され、リーダ/ライタ装置によって読み取られる。尚、前述の図４において、改札に設けられたリーダ/ライタ装置は、ホスト機器４０に接続されたリーダ/ライタ装置４１が対応する。
【００３２】
次に、上記リーダ/ライタ装置４１は残金情報を読み取ると共に、ホスト機器４０によって上記残金情報から初乗料金を差し引いた残金のデータ計算し、更に駅名、現在時刻の情報を読み出して携帯電話機２５の送受信部３６に送る。携帯電話機２５は、これらの情報を制御部３０の制御によって携帯電話機２５のメモリ３７に記憶する。上記処理はユーザが駅の改札を通過する毎に実行され、携帯電話機２５内のメモリ３７には上記情報が蓄積される。
【００３３】
その後、携帯電話機２５をＭＦＰ１の設置場所まで移動し、履歴情報を確認すべく携帯電話機２５をＭＦＰ１の携帯機器データリーダ/ライタ２０に翳す。そして、例えばキー操作部２６ｂのキー操作を行う。図６は携帯電話機２５の操作を説明するフローチャートであり、先ずメニュー表示を行う（ステップ（以下、Ｓで示す）１）。
【００３４】
次に、携帯機器データ情報を印刷するか判断する（Ｓ２）。ここで、携帯機器データ情報の印刷処理ではない場合（Ｓ２がＮＯ）、対応する他の処理を実行する。一方、携帯機器データ情報の印刷処理であれば（Ｓ２がＹＥＳ）、次に印刷種別の判断を行う（Ｓ３）。
【００３５】
例えば、指定項目データの出力の判断を行い（Ｓ４）、選択項目に対応する帳票指定データを出力する（Ｓ５）。この処理を具体的に説明するフローチャートが図７である。尚、本例の説明では、キー操作部２６ｂの数値キーの１〜３を操作して指示を行うが、方向キー２６ｃを操作して指示を行ってもよい。先ず、携帯電話機２５の表示部２６ａには、例えば図３に示す表示が行われ、ユーザは上記数値キーを操作して番号を指定する（ステップ（以下、ＳＴで示す）１）。ここで、例えば番号１の指示は「全データ印刷（帳票印刷）」であり、前述のＪＯＢ１が対応する。また、番号２の指示は「今月の経路（帳票印刷）」でありＪＯＢ２が対応し、番号３の指示は「運賃以外の使用残金（帳票印刷）」でありＪＯＢ３が対応する（ＳＴ２）。
【００３６】
次に、指示された番号に従って印刷の準備を行う。例えば、番号１（ＪＯＢ１）の指示であれば「全データ印刷（帳票印刷）」の準備を行い（ＳＴ３）、番号２（ＪＯＢ２）の指示であれば「今月の経路（帳票印刷）」の準備を行い（ＳＴ４）、番号３（ＪＯＢ３）の指示であれば「運賃以外の使用残金（帳票印刷）」の準備を行う（ＳＴ５）。
【００３７】
例えば、図８に示す例は、番号１（ＪＯＢ１）の指示があり、「全データ印刷（帳票印刷）」の印刷例である。この場合、メモリ３７に記憶された情報に基づいて、制御部３０の制御によってＪＯＢ１に対応する情報が作成され、携帯機器データリーダ/ライタ２０に送信される。携帯機器データリーダ/ライタ制御部１６は、携帯機器データリーダ/ライタ２０を介して供給される情報をＭＦＰメイン部１０に送信し、ＭＦＰメイン部１０はプリント部８を制御して全データの印刷処理を行わせる。上記処理によって、図８に示す印刷結果、即ち利用年月日、入場駅、出場駅、残金等のデータの印刷出力が得られる。
【００３８】
以上のように、本例によれば携帯電話機２５に記憶した情報に対して、予め設定された携帯電話機２５の番号指定によって希望の印刷処理を行うことができる。例えば、上記例では番号１（ＪＯＢ１）の全データ印刷であったが、番号２（ＪＯＢ２）を指定した場合には、ユーザが今月利用したJRの路線経路を印刷することができる。さらに、番号３（ＪＯＢ３）を指定した場合には、運賃以外のユーザの使用残金を印刷することができる。
【００３９】
尚、上記例では交通利用情報を分類した形で記録し、印刷出力する構成としたが、交通情報に基づく運賃清算や経路記録に限るものではない。また、上記例では携帯電話機２５の例で説明したが、携帯電話機に限らずＩＣタグが内蔵されたＰＤＡ（Personal Digital Assistant）、電子手帳等の通信機能付き携帯機器であれば適用することができる。また、携帯機器に限らず、例えばＩＣカード等のＩＣタグが内蔵された通信機能付き可搬型記録媒体であっても適用することができる。
（実施形態２）
【００４０】
次に、本発明の実施形態２について説明する。
【００４１】
前述の実施形態１では携帯電話機２５からの印刷要求を行うことによって印刷処理を行ったが、本実施形態においては携帯電話機２５内で印刷コマンドを作成し、ＭＦＰ１が当該印刷コマンドを読むことによって印刷データの印刷処理を行うものである。
【００４２】
図９は本例のシステムを使用した印刷処理を説明する模式図である。本例も駅の改札を通過する際に書き込まれる情報に基づいてＭＦＰ１による印刷処理を説明するものである。
【００４３】
前述と同様、本例においてもユーザは駅の改札を通過する際、携帯電話機２５を翳し、改札に設けられたリーダ/ライタ装置４１によって携帯電話機２５内の残金情報を送信し、ホスト機器４０は上記残金情報から初乗料金を差し引いた残金のデータ計算し、更に駅名、現在時刻の情報を携帯電話機２５に送信する。携帯電話機２５は、これらの情報を制御部３０の制御によってメモリ３７に記憶する。上記処理は、前述と同様ユーザが駅の改札を通過する毎に行われ、携帯電話機２５には上記情報が蓄積される。
【００４４】
その後、携帯電話機２５をＭＦＰ１の設置場所まで移動し、履歴情報を確認すべく携帯電話機２５をＭＦＰ１の携帯機器データリーダ/ライタ２０に翳す。そして、例えばキー操作部２６ｂのキー操作を行う。
【００４５】
図１０は上記処理を具体的に説明するフローチャートであり、キー操作部２６ｂの数値キーの１〜３を操作して指示を行う。例えば、前述と同様、図３に示す表示が行われ、ユーザは上記数値キーを操作して番号を指定する（ステップ（以下、Ｗで示す）１）。この場合も、例えば番号１（ＪＯＢ１）の指示は「全データ印刷（帳票印刷）」であり、番号２（ＪＯＢ２）の指示は「今月の経路（帳票印刷）」であり、番号３（ＪＯＢ３）の指示は「運賃以外の使用残金（帳票印刷）」である（Ｗ２〜Ｗ５）。
【００４６】
次に、携帯電話機２５の制御部３０は印刷コマンドを作成し、準備する（Ｗ６）。そして、この印刷コマンドを帳票印刷用のデータに含めてＭＦＰ１に送信する。すなわち、携帯電話機２５の送受信部３６を介して携帯機器データリーダ/ライタ２０に送信し、ＭＦＰメイン部１０によって印刷処理が行われる。この場合、印刷コマンドは携帯電話機２５から送信されたコマンドが使用され、ＭＦＰメイン部１０はプリント部８を制御して指示された印刷処理を行わせる。
【００４７】
したがって、本例によればＭＦＰ１内で帳票を作成する機能がない場合でも、印刷コマンドは携帯電話機２５から転送され、上記機能が存在しない印刷装置であっても対応することができる。
【００４８】
尚、本例においても、交通情報に基づく運賃清算や経路記録に限るものではない。また、上記例では携帯電話機２５の例で説明したが、携帯電話機に限らずＩＣタグが内蔵されたＰＤＡや電子手帳等の通信機能付き携帯機器であれば適用することができ、更に携帯機器に限らず、例えばＩＣカード等のＩＣタグが内臓された通信機能付き可搬型記録媒体であっても適用することができる。
（実施形態３）
次に、本発明の実施形態３について説明する。
【００４９】
前述の実施形態１及び２では携帯電話機２５から情報をＭＦＰに送信して印刷処理を行う構成としたが、携帯電話機２５のメモリ３７の容量にも限りがあり、本実施形態では不足する情報はサーバからの供給を受けて印刷処理を行うものである。
図１１は本例のＭＦＰを使用した印刷処理を説明する模式図である。本例も駅の改札を通過する際に書き込まれる情報に基づいてＭＦＰによる印刷処理を説明するものである。
【００５０】
先ず、ユーザは駅の改札を通過する際、携帯電話機２５を翳し、改札に設けられたリーダ/ライタ装置４１によって携帯電話機２５内の残金情報を送信し、ホスト機器４０で計算した残金情報や、駅名、現在時刻等の情報を取り込み、メモリ３７に記録する。前述のように、上記処理を繰り返すことによって、携帯電話機２５のメモリ３７には情報が蓄積されるが、メモリ３７の容量にも限りがあり、一定の容量を越えた情報は通信回線を介してサーバ４３に記録される。
【００５１】
次に、携帯電話機２５をＭＦＰ１の設置場所まで移動し、履歴情報を確認すべく携帯電話機２５をＭＦＰ１の携帯機器データリーダ/ライタ２０に翳す。そして、例えばキー操作部２６ｂのキー操作を行う。以下、本例の処理を図１２に示すフローチャートに従って説明する。
【００５２】
先ず、携帯電話機２５からＭＦＰ１にデータを送信する際、ＭＦＰ１に送信するデータが帳票の分類に当てはまるか判断し（ステップ（以下、Ｕで示す）１）、帳票の分類に当てはまる場合（Ｕ１がＹＥＳ）、当該データを帳票データに加える（Ｕ２）。例えば、入場した駅名のデータが入力した場合、駅名のカテゴリに加え、次のデータを調べ（Ｕ３）、データ入力が終了するまで繰り返す（Ｕ４がＮＯ）。また、帳票の分類に当てはまらない場合（Ｕ１がＮＯ）、次のデータの調査を繰り返す（Ｕ６、Ｕ７）。
【００５３】
一方、この間、メモリ３７内のデータが終了すると（Ｕ４がＹＥＳ）、送信データに「データ不足」を追加し（Ｕ５）、メモリ３７の容量不足を通知する。
【００５４】
その後、ＭＦＰ１が携帯電話機２５から送信されたデータに基づいて印刷処理を行う際、上記付加された「データ不足」の情報を検出し、以下図１３に示すフローチャートに従って処理される。すなわち、送信データに付加された「データ不足」を検知すると（Ｕ８がＹＥＳ）、携帯機器データリーダ/ライタ制御部１６は前述のＬＡＮを介してサーバ４３に「ユーザＩＤ」を送り、サーバ４３から不足データを得る（Ｕ９）。
【００５５】
このように処理することによって、携帯電話機２５内のメモリ３７に記憶できない情報を一旦サーバ４３に記憶し、印刷処理の際サーバ４３から読み出して使用することができる。したがって、本例によれば、携帯電話機２５に設けるメモリ３７の容量を小さく構成することができる。
（実施形態４）
次に、本発明の実施形態４について説明する。尚、本実施形態の説明においても、ＭＦＰ１は前述の図１で説明したシステム構成を有し、図２に示す外観構成を有する。以下、具体的に説明する。
【００５６】
図１４は本システムのＭＦＰ１を使用した印刷処理を説明する模式図である。先ず、ユーザは前述の携帯電話機２５を使用し、ホスト機器４５に設けられた携帯機器データリーダ/ライタ４６との間で通信を行い、必要な情報の授受を行う。本例では、例えばテスト結果や、授業の資料、連絡表などのＪＯＢデータである。また、上記各種資料の代金を減額した残金情報も含まれる。
【００５７】
次に、携帯電話機２５をＭＦＰ１の設置場所まで移動し、上記情報の印刷を行うべく携帯電話機２５をＭＦＰ１の携帯機器データリーダ/ライタ２０に翳す。そして、例えばキー操作部２６ｂのキー操作を行う。この場合、携帯電話機２５の表示部には図１５に示す表示が行われており、ユーザは印刷を必要とする番号を選択する。
【００５８】
図１６は本例の処理を説明するフローチャートであり、本例においては番号１の指示は「テスト結果の印刷」であり、番号２の指示は「授業の資料の印刷」であり、番号３の指示は「連絡表の印刷」である（ステップ（以下、Ｖで示す）１、Ｖ２〜Ｖ５）。上記指定を行い、ＭＦＰ１からＪＯＢデータの受取り確認があると（Ｖ６がＹＥＳ）、番号を確認し（Ｖ７）、携帯電話機２５内の対応するＪＯＢを消去する（Ｖ８〜Ｖ１０）。
【００５９】
一方、ＭＦＰ１は図１７に示すフローチャートに従って処理を行い、携帯電話機２５からＪＯＢデータを受取ると（Ｖ１１）、ＪＯＢデータの受取りを書き込み（Ｖ１２）、ＪＯＢ１データの印刷処理を行う（Ｖ１３）。
【００６０】
以上のように、本例によればパーソナルコンピュータ等のホスト機器から受信した印刷データを携帯電話機２５に記憶し、携帯電話機２５の番号指定によって希望の印刷処理を行うことができる。
【００６１】
尚、上記例では携帯電話機２５の例で説明したが、携帯電話機に限らずＩＣタグが内蔵されたＰＤＡ、電子手帳等の通信機能付き携帯機器であれば適用することができ、また携帯機器に限らず、例えばＩＣカード等のＩＣタグが内蔵された通信機能付き可搬型記録媒体であっても適用することができることは前述の実施形態と同じである。
又、上記例では携帯電話２５のメモリを介して印刷ＪＯＢデータをＭＦＰ１へ送り込む例を説明したが、携帯電話を介してＭＦＰへ送る情報は、印刷ＪＯＢデータそのものではなく、印刷対象となる印刷ＪＯＢのユーザ認証情報および印刷ＪＯＢ選択指定情報だけで、実際の印刷データは、ホスト機器４５からＬＡＮなどのネットワーク回線を介して接続されたＭＦＰ自体に内蔵されるＨＤＤ内に転送保管され、もしくは両者の間に仲介するプリントサーバ内のＨＤＤに記憶保管され、上記携帯電話２５でのＭＦＰ１における認証およびＪＯＢ選択指定に応じてそれらＨＤＤから先に保管された印刷データが呼び出され、実際の印刷処理が行われるように構成することもできる。
（実施形態５）
次に、本発明の実施形態５について説明する。尚、本実施形態の説明においても、ＭＦＰ１は前述の図１で説明したシステム構成を有し、図２に示す外観構成を有する。以下、具体的に説明する。
【００６２】
図１８は本システムのＭＦＰ１を使用した印刷処理を説明する模式図である。先ず、ユーザは前述の携帯電話機２５を使用し、ホスト機器４７に設けられた携帯機器データリーダ/ライタ４８との間で通信を行い、必要な情報の授受を行う。本例では、ＭＦＰ１の制御条件に関する情報を受信する。例えば制御条件１〜４の情報を受信する。
【００６３】
図１９は制御条件１〜４を説明する図である。制御条件は動作内容、読取条件、印刷条件、ファクシミリ（ＦＡＸ）条件に分かれており、動作内容はスキャン、コピー、ＦＡＸ、プリントに関する。また、読取条件はカラー・／モノクロ、解像度、ピクセル値、用紙サイズなどであり、印刷条件はカラー／モノクロ、解像度、給紙口、排紙口、用紙サイズなどであり、ＦＡＸ条件はＦＡＸ番号、リトライ回数、解像度などである。
【００６４】
例えば、同図に示す例では、制御条件２について、動作内容はコピーであり、読取条件のカラー・／モノクロはモノクロであり、用紙サイズはＡ３サイズの指定である。また、印刷条件はカラー／モノクロの指定がモノクロであり、給紙口の指定が第２給紙口であり、用紙サイズの指定がＡ３サイズである。尚、他の制御条件１、３、４についても具体的に設定される。
【００６５】
次に、携帯電話機２５をＭＦＰ１の設置場所まで移動し、上記情報の印刷を行うべく携帯電話機２５をＭＦＰ１の携帯機器データリーダ/ライタ２０に翳す。そして、例えばキー操作部２６ｂのキー操作を行う。この場合、携帯電話機２５の表示部には図２０に示す表示が行われており、ユーザは制御条件を指定する番号を選択する。
【００６６】
図２１は本例の処理を説明するフローチャートであり、本例において番号１の指示は「制御条件１」を選択する指示であり、番号２の指示は「制御条件２」を選択する指示であり、番号３の指示は「制御条件３」を選択する指示である（ステップ（以下、Ｘで示す）１〜５）。
【００６７】
上記指定が行われると、ＭＦＰ１は図２２に示すフローチャートに従って処理を行い、先ず制御情報を初期値に初期化し（Ｘ６）、携帯電話機２５から受信した制御条件の項目を制御情報の同一の項目にコピーする（Ｘ７）。例えば、前述の例の場合、図１９に示すように制御条件２の制御情報をＭＦＰ１の記憶装置部（ＨＤＤ）１６に書き込む。
【００６８】
その後、ＭＦＰメイン部１０は上記制御条件に基づいて処理を行う。例えば、動作内容がスキャン（原稿読み取り）であれば、設定した制御情報に基づいてスキャン処理を実行する（Ｘ８、Ｘ９）。また、動作内容がコピーであれば、設定した制御情報に基づいてコピー処理を実行する（Ｘ８、Ｘ１０）。また、動作内容がＦＡＸ、又はプリントであれば、設定した制御情報に基づいてＦＡＸ又はプリント処理を実行する（Ｘ８、Ｘ１１、又はＸ１２）。
【００６９】
以上のように、本例によればパーソナルコンピュータ等のホスト機器から受信した印刷条件を携帯電話機２５を使用して、選択的にＭＦＰ１に送信することができ、ＭＦＰ１を指定した制御条件に従って動作させることができる。
【００７０】
尚、上記実施形態の説明では、携帯電話機２５に記憶される制御条件はホスト機器から供給された印刷条件であるが、図２３に示すようにＭＦＰ５０から供給される制御条件を記憶し、使用する構成としてもよい。この場合、ＭＦＰ５０から携帯機器データリーダ/ライタ５１を介して制御条件の情報を入力し、メモリ３７に記憶する。
【００７１】
また、図２４は本実施形態の変形例を説明する概略構成図であり、ＭＦＰ５２に携帯電話機２５を翳し、携帯機器データリーダ/ライタ５３を介して制御条件をＭＦＰ５２に供給する。ＭＦＰ５３は上記制御条件に従ってスキャン動作を行い、スキャン結果を携帯電話機２５に送信する。その後、ホスト機器５４の携帯機器データリーダ/ライタ５５に携帯電話機２５を翳し、対応するキー操作を行ってスキャンデータをホスト機器５４に送信する。このように構成することにより、例えば通信回線が接続していないホスト機器に対してもＭＦＰ５２からホスト機器５４にスキャンデータを実質的に送信することができる。尚、この場合携帯電話はユーザＩＤなど認証情報の授受を行うだけで、スキャンデータ自体は、携帯電話を介さずにＬＡＮなどを介してＭＦＰ５２からホスト機器５４へ送る構成を採ることも出来る。
【００７２】
また、図２５は本実施形態の変形例を説明する概略構成図であり、ＦＡＸデータをプリント印刷するのではなく、ユーザＩＤ、印刷条件を入力し、ＦＡＸデータを受信し、ＦＡＸデータを印刷出力することなく携帯電話機２５に転送する。その後、ホスト機器５９に携帯電話機２５を翳し、対応するキー操作を行ってスキャンデータを携帯機器データリーダ/ライタ６０を介してホスト機器５９に送信する。このように構成することにより、ＦＡＸデータが印刷出力されることなく、ホスト機器５９に記憶され、セキュリティを確保したＦＡＸ受信を行うことができる。尚、この場合も前記同様、携帯電話はユーザＩＤなど認証情報の授受を行うだけで、ＦＡＸデータ自体は、携帯電話を介さずにＬＡＮなどを介してＭＦＰ５７からホスト機器５９へ送る構成を採ることも出来る。
【００７３】
さらに、図２６は本実施形態の変形例を説明する概略構成図であり、ホスト機器６１から携帯機器データリーダ/ライタ６２を介して制御条件の制御コマンド群を携帯電話機２５に書き込む。例えば、制御コマンド群１はテストＦＡＸをセンタに送信するコマンド群であり、制御コマンド群２はステータスシートの印刷を行うコマンド群であり、制御コマンド群３は原稿のスキャン指示を行い、例えば原稿を１０部コピーする指示を行うコマンド群である。その後、ＭＦＰ６３に携帯電話機２５を翳し、対応するキー操作を行ってユーザＩＤと例えば指示されたコマンド群１、又は２、又は３を携帯機器データリーダ/ライタ６４を介してＭＦＰ６３に送信する。このように構成することにより、ユーザが携帯電話機２５を翳してキーを操作するだけで、テストＦＡＸの送信や、ステータスシートの印刷処理、原稿のスキャン処理等を行わせることができる。尚、この場合も前記同様、携帯電話は認証情報や制御コマンド群の授受を行うだけで、ＦＡＸ／印刷／スキャンデータ自体は、携帯電話を介さずにＬＡＮなどを介してホスト機器６１からＭＦＰ６３へ送る構成を採ることも出来る。
【図面の簡単な説明】
【００７４】
【図１】本実施形態の印刷装置の内部構成を説明する図である。
【図２】本実施形態の印刷装置の構成を説明する図である。
【図３】携帯機器データリーダ/ライタとの通信を行う携帯機器として、例えば携帯電話機の例を説明する図である。
【図４】携帯電話機の内部構成を示す図である。
【図５】ＭＦＰを使用した印刷処理を説明する模式図である。
【図６】携帯電話機の操作を説明するフローチャートである。
【図７】指定項目データの選択処理を具体的に説明するフローチャートである。
【図８】全データ印刷（帳票印刷）の印刷例を示す図である。
【図９】実施形態２の印刷処理を説明する模式図である。
【図１０】実施形態２の印刷処理を説明するフローチャートである。
【図１１】実施形態３の印刷処理を説明する模式図である。
【図１２】実施形態３の印刷処理を説明するフローチャートである。
【図１３】実施形態３の印刷処理を説明するフローチャートである。
【図１４】実施形態４の処理を説明する模式図である。
【図１５】実施形態４における携帯電話機の表示部の表示例を示す図である。
【図１６】実施形態４の印刷処理を説明するフローチャートである。
【図１７】実施形態４のおけるＭＦＰの処理を説明するフローチャートである。
【図１８】実施形態５の処理を説明する模式図である。
【図１９】制御条件１〜４を説明する図である。
【図２０】実施形態５における携帯電話機の表示部の表示例を示す図である。
【図２１】実施形態５の印刷処理を説明するフローチャートである。
【図２２】実施形態５のおけるＭＦＰの処理を説明するフローチャートである。
【図２３】実施形態５の変形例の印刷処理を説明するフローチャートである。
【図２４】実施形態５の変形例の印刷処理を説明するフローチャートである。
【図２５】実施形態５の変形例の印刷処理を説明するフローチャートである。
【図２６】実施形態５の変形例の印刷処理を説明するフローチャートである。
【符号の説明】
【００７５】
１・・・ＭＦＰ
２・・・表示操作部
３・・・複数段の給紙カセット
４・・・排紙部
６・・・スキャナ部
７・・・ＭＦＰ制御部
８・・・プリント部
１０・・ＭＦＰメイン部
１１・・読取機構制御部
１２・・表示操作制御部
１３・・ＦＡＸ通信制御部
１４・・ＬＡＮ通信制御部
１５・・インターネット通信制御部
１６・・携帯機器データリーダ/ライタ制御部
１７・・記憶装置制御部
１８・・記憶装置部（ＨＤＤ）
２０・・携帯機器データリーダ/ライタ
２１・・印刷機構部
２３・・印刷機構制御部
２５・・携帯電話機
２６ａ・・表示部
２６ｂ・・キー操作部
２６ｃ・・方向キー操作部
３０・・制御部
３１・・無線通信部
３２・・アプリケーション実行部
３４・・リーダ/ライタ制御部（Ｒ/Ｗ制御部）
３５・・ＩＣタグ
３６・・送受信部
３７・・メモリ
４０・・ホスト機器
４１・・リーダ/ライタ装置
４３・・サーバ
４５・・ホスト機器
４６・・携帯機器データリーダ/ライタ
４７・・ホスト機器
４８・・携帯機器データリーダ/ライタ
５０・・ＭＦＰ
５１・・携帯機器データリーダ/ライタ
５２・・ＭＦＰ
５３・・携帯機器データリーダ/ライタ
５４・・ホスト機器
５５・・携帯機器データリーダ/ライタ
５９・・ホスト機器
６０・・携帯機器データリーダ/ライタ
６１・・ホスト機器
６２・・携帯機器データリーダ/ライタ
６３・・ＭＦＰ
６４・・携帯機器データリーダ/ライタ
【図１】
2008181266.tif 000003
【図３】
2008181266.tif 000004
【図４】
2008181266.tif 000005
【図５】
2008181266.tif 000006
【図６】
2008181266.tif 000007
【図７】
2008181266.tif 000008
【図９】
2008181266.tif 000009
【図１０】
2008181266.tif 000010
【図１１】
2008181266.tif 000011
【図１２】
2008181266.tif 000012
【図１３】
2008181266.tif 000013
【図１４】
2008181266.tif 000014
【図１５】
2008181266.tif 000015
【図１６】
2008181266.tif 000016
【図１７】
2008181266.tif 000017
【図１８】
2008181266.tif 000018
【図１９】
2008181266.tif 000019
【図２０】
2008181266.tif 000020
【図２１】
2008181266.tif 000021
【図２２】
2008181266.tif 000022
【図２３】
2008181266.tif 000023
【図２４】
2008181266.tif 000024
【図２５】
2008181266.tif 000025
【図２６】
2008181266.tif 000026
【図２】
2008181266.tif 000027
【図８】
2008181266.tif 000028